(57)【要約】【課題】ユーザが興味を持つ保険商品を比較しやすい形で効果的に表示させるためのサーバを提供する。【解決手段】本発明は，基本的には，商品名と関連させて，前記それぞれの商品についての複数の評価項目に関するデータとを記憶した手段(４)と；前記クライアントに前記複数の商品名を１又は複数選択可能なように表示させる手段(５)と；前記クライアントから送信された前記商品名を受け取る手段（６）と；商品名を記憶する商品名記憶手段(７)と；商品名を用いて複数の評価項目に関するデータを読み出す手段（８）と記憶する手段（９）と；クライアントが表示できる形式に変換する情報変換手段（１０）と；クライアントに送信する生命保険情報送信手段（１１）とを具備するサーバに関する。【選択図】図２
2007299257.tif 000002
【特許請求の範囲】
【請求項１】
インターネット(１)を通じて接続されるクライアント(２)に生命保険商品を効果的に表示させるためのサーバ(３)であって；
複数の生命保険の商品名と，複数の評価項目と，前記それぞれの商品名と関連させて，前記それぞれの商品についての複数の評価項目に関するデータとを記憶した第１の記憶手段(４)と；
前記クライアントに前記複数の商品名を１又は複数選択可能なように表示させるための商品名表示手段(５)と；
前記クライアントから送信された前記商品名を受け取る商品名受信手段（６）と；
前記商品名受信手段（６）が受信した商品名を記憶する商品名記憶手段(７)と；
前記商品名記憶手段(７)が記憶する１又は複数の商品名を読み出して,読み出した商品名を用いて，前記第１の記憶手段(４)から１又は複数の前記商品名と関連して記憶される複数の評価項目に関するデータを読み出すデータ読み出し手段（８）と；
前記データ読み出し手段（８）が読み出した，前記１又は複数の商品名，及び前記データ読み出し手段（８）が読み出した，前記１又は複数の前記商品名と関連して記憶される複数の評価項目に関するデータを記憶する第２の記憶手段（９）と；
前記第２の記憶手段（９）が記憶する前記１又は複数の商品名，及び前記１又は複数の前記商品名と関連して記憶される複数の評価項目に関するデータを前記クライアントが表示できるように変換する情報変換手段（１０）と；
前記情報変換手段（１０）が変換した情報を前記クライアントに送信する生命保険情報送信手段（１１）と；
を具備し，
前記商品名表示手段(５)が，前記クライアントに前記複数の商品名を１又は複数選択可能なように表示させ；
前記商品名受信手段（６）が，前記クライアントから送信された前記商品名を受け取り；
前記商品名記憶手段(７)が，前記商品名受信手段（６）が受信した商品名を記憶し；
前記データ読み出し手段（８）が，前記商品名記憶手段(７)が記憶する１又は複数の商品名を読み出して,読み出した商品名を用いて，前記第１の記憶手段(４)から１又は複数の前記商品名と関連して記憶される複数の評価項目に関するデータを読み出し；
前記第２の記憶手段が，前記データ読み出し手段（８）が読み出した，前記１又は複数の商品名，及び前記データ読み出し手段（８）が読み出した，前記１又は複数の前記商品名と関連して記憶される複数の評価項目に関するデータを記憶し；
前記情報変換手段（１０）が，前記第２の記憶手段（９）が記憶する前記１又は複数の商品名，及び前記１又は複数の前記商品名と関連して記憶される複数の評価項目に関するデータを前記クライアントが表示できるように変換し；
前記生命保険情報送信手段（１１）が，前記情報変換手段（１０）が変換した情報を前記クライアントに送信することにより，前記クライアントが表示できる生命保険の商品に関する情報が前記クライアントへ送信される，
サーバ。
【発明の詳細な説明】
【技術分野】
【０００１】
本発明は，生命保険商品を効果的に表示させるためのサーバに関する。
【背景技術】
【０００２】
特開２００１-２０２４７３号公報（下記特許文献１）には，インターネット上の保険オークションが開示されている。しかしながら，同公報に開示される技術は，単に保険のオークションを提供するのみで，複数種類の保険商品を効果的に表示するものではない。
【０００３】
特開２００１-２５６３５０号公報（下記特許文献２）には，「インターネットのホームページを通じて各保険会社の保険商品の内容を比較照会するシステムにおいて、(1)あらかじめ複数の保険会社から提供された資料をデータベース化し、顧客の要求に応じて保険会社別、保険商品別に支払い保険料や支払い保障額を計算し、保険内容を比較一覧表にして提供する手段、(2)提示された一覧表をもとに顧客が求める候補の保険商品の請求資料および申込をインターネットを通じて請求した場合に、顧客からのオーダーデータを基に資料請求データを作成するとともに、顧客の要求する資料を各代理店及び各保険会社に振り分けて請求する手段、(3)資料請求送付要請を受けた各代理店及び保険会社は直接資料および申込書を顧客に送付する手段、を有することを特徴とするインターネット保険オーダーシステム」が開示されている（同文献の請求項１）。
【０００４】
しかし，特開２００１-２５６３５０号公報(下記特許文献２)に開示された発明は，サーバ側のアルゴリズムに従って，保険商品名を紹介するものであり，必ずしもユーザの希望する保険商品名を抽出して比較するものではない。
【特許文献１】特開２００１-２０２４７３号公報
【特許文献２】特開２００１-２５６３５０号公報
【発明の開示】
【発明が解決しようとする課題】
【０００５】
本発明は，ユーザが興味を持つ保険商品を比較しやすい形で効果的に表示させるためのサーバを提供する。
【課題を解決するための手段】
【０００６】
本発明は，基本的には，ユーザに保険商品を選択させ，その選択された保険商品と関連するデータのみを抽出して，ユーザのクライアントに表示させるサーバに関する。より具体的に説明すると，インターネット(１)を通じて接続されるクライアント(２)に生命保険商品を効果的に表示させるためのサーバ(３)であって；複数の生命保険の商品名と，複数の評価項目と，前記それぞれの商品名と関連させて，前記それぞれの商品についての複数の評価項目に関するデータとを記憶した第１の記憶手段(４)と；前記クライアントに前記複数の商品名を１又は複数選択可能なように表示させるための商品名表示手段(５)と；前記クライアントから送信された前記商品名を受け取る商品名受信手段（６）と；前記商品名受信手段（６）が受信した商品名を記憶する商品名記憶手段(７)と；前記商品名記憶手段(７)が記憶する１又は複数の商品名を読み出して,読み出した商品名を用いて，前記第１の記憶手段(４)から１又は複数の前記商品名と関連して記憶される複数の評価項目に関するデータを読み出すデータ読み出し手段（８）と；前記データ読み出し手段（８）が読み出した，前記１又は複数の商品名，及び前記データ読み出し手段（８）が読み出した，前記１又は複数の前記商品名と関連して記憶される複数の評価項目に関するデータを記憶する第２の記憶手段（９）と；前記第２の記憶手段（９）が記憶する前記１又は複数の商品名，及び前記１又は複数の前記商品名と関連して記憶される複数の評価項目に関するデータを前記クライアントが表示できるように変換する情報変換手段（１０）と；前記情報変換手段（１０）が変換した情報を前記クライアントに送信する生命保険情報送信手段（１１）と；を具備するサーバに関する。
【発明の効果】
【０００７】
本発明によれば，ユーザの選択した，ユーザが興味を持つ保険商品を効果的に表示させることができるサーバを提供できる。
【発明を実施するための最良の形態】
【０００８】
以下，図面に従って，本発明のサーバを説明する。図１は，本発明のサーバを含む，クライアントサーバシステムの概念図である。図１に示されるとおり，本発明のサーバは，インターネット(１)を通じて接続されるクライアント(２)に生命保険商品を効果的に表示させるためのサーバ(３)である。そして，図２は，本発明のサーバの基本構成を示す概念図である。図２に示されるように，本発明のサーバは，複数の生命保険の商品名と，複数の評価項目と，前記それぞれの商品名と関連させて，前記それぞれの商品についての複数の評価項目に関するデータとを記憶した第１の記憶手段(４)と；前記クライアントに前記複数の商品名を１又は複数選択可能なように表示させるための商品名表示手段(５)と；前記クライアントから送信された前記商品名を受け取る商品名受信手段（６）と；前記商品名受信手段（６）が受信した商品名を記憶する商品名記憶手段(７)と；前記商品名記憶手段(７)が記憶する１又は複数の商品名を読み出して,読み出した商品名を用いて，前記第１の記憶手段(４)から１又は複数の前記商品名と関連して記憶される複数の評価項目に関するデータを読み出すデータ読み出し手段（８）と；前記データ読み出し手段（８）が読み出した，前記１又は複数の商品名，及び前記データ読み出し手段（８）が読み出した，前記１又は複数の前記商品名と関連して記憶される複数の評価項目に関するデータを記憶する第２の記憶手段と（９）；前記第２の記憶手段（９）が記憶する前記１又は複数の商品名，及び前記１又は複数の前記商品名と関連して記憶される複数の評価項目に関するデータを前記クライアントが表示できるように変換する情報変換手段（１０）と；前記情報変換手段（１０）が変換した情報を前記クライアントに送信する生命保険情報送信手段（１１）と；を具備する。なお，図２中，符号１２は，システムバスなどのバスを示し，各要素と接続され，情報の授受を行うことができるようにされている。符号１３は，モニタなどのディスプレイを示す。
【０００９】
各クライアント，及びサーバは，コンピュータやワークステーションを適宜用いることができる。そして，サーバは，基本的には，ＣＤ−ＲＯＭやハードディスクなどに，制御プログラムを記憶し，読み出し可能としている。そして，サーバ及びクライアントは，モニタ，ポインティングデバイス，及びインターフェイスなどの入出力装置；ＣＰＵなどの制御装置・演算装置；バッファ，ＲＡＭ，ＣＤ−ＲＯＭ，ハードディスクなどの記憶装置を具備している。そして，ＣＰＵは，ポインティングデバイスやインターフェイスなどからの入力を受けて，ＣＤ−ＲＯＭなどから，所定の制御情報を読み出し，読み出した制御プログラムの指示に従って，記憶装置に記憶された各種情報を読み出すとともに，記憶装置のメモリ空間などを適宜利用して，演算装置などで各種の演算を行い，その結果を記憶装置に記憶するとともに，入出力装置を用いて出力する。なお，ＣＲ−ＲＯＭは，上記のサーバを達成するために必要な制御プログラムであって，サーバなどのコンピュータを上記の各手段を実現するためのプログラムを記憶するものがあげられる。
【００１０】
図３は，データベースなどの第１の記憶手段が記憶する保険商品名と評価項目の例を示す概念図である。図３に示されるように，評価項目として，商品形態，保険額，保険期間，保険料払込期間，支払方法，主契約，取扱条件，及び所定のウェブページへのリンク情報があげられる。次に，サーバの動作例について説明する。
【００１１】
サーバのＣＰＵは，入力装置から情報を特定のクライアントに送信する旨の指令を受けて，記憶装置から，前記複数の商品名を読み出すとともに，メインメモりなどの記憶装置から，制御プログラムを読み出し，制御プログラムの指令に従って，前記クライアントが前記複数の商品名を１又は複数選択可能なように表示させるよう演算を行う。そして，インターフェイスなどを介して演算した情報を出力する。
【００１２】
そのような情報は，インターネットを介してクライアントに入力される。そして，クライアントは，そのような情報を用いて，商品名選択除法を表示する。図４は，クライアントに表示される保険商品の商品名を選択させる画面の例を示す概念図である。図４に示されるように，保険商品の商品名は，保険会社の名前であってもよい。保険商品の商品名を複数表示したクライアントは，ポインティングデバイスなどの入力を受けて，商品名を選択できるようにされている。そして，選択された情報は，クライアントの記憶装置によって一時的に記憶され，インターネットを介して，サーバに送信される。ここでは，まず，Ａ生命が選択され，その後Ｃ生命とＤ生命とが選択されたとする。
【００１３】
サーバのインターフェイスなどの商品名受信手段（６）が，前記クライアントから送信された前記商品名を受け取る。具体的には，まずＡ生命に関する情報がサーバに入力され，順次Ｃ生命及びＤ生命に関する情報がサーバに入力される。
【００１４】
そして，バッファやＲＡＭなどの記憶装置が，商品名記憶手段(７)として，前記商品名受信手段（６）が受信した商品名を記憶する。すると，ＣＰＵはデータ読み出し手段（８）として，メインメモリなどの記憶装置に記憶される制御プログラムを読み出し，制御プログラムの指令に従って，商品名記憶手段(７)が記憶する１又は複数の商品名を読み出して,読み出した商品名を用いて，前記第１の記憶手段(４)から１又は複数の前記商品名と関連して記憶される複数の評価項目に関するデータを読み出す。具体的には，まず，Ａ生命に関する情報を用いて，図３に示されるテーブルから，各種評価項目が評価項目に関するタグとともに読み出される。なお，評価項目に関する情報がない場合は，例えば０を１０個続けるなどの情報がないというデータとして記憶され，読み出されればよい。Ｃ生命及びＤ生命についても同様である。
【００１５】
さらに，ＣＰＵは，制御プログラムの指令を受けて，バッファやＲＡＭなどの記憶装置が第２の記憶手段（９）として，前記データ読み出し手段（８）が読み出した，前記１又は複数の商品名，及び前記データ読み出し手段（８）が読み出した，前記１又は複数の前記商品名と関連して記憶される複数の評価項目に関するデータを記憶するよう制御する。具体的には，Ａ生命，Ｃ生命及びＤ生命の情報とともに，それらと関連して，タグなどで識別される各種評価項目の情報とその評価項目に関するデータが記憶される。
【００１６】
次に，ＣＰＵは情報変換手段（１０）として，制御プログラムの指令を受けて，第２の記憶手段（９）が記憶する前記１又は複数の商品名，及び前記１又は複数の前記商品名と関連して記憶される複数の評価項目に関するデータを前記クライアントが表示できるような状態（例えば，ＨＴＭＬ形式の状態）に変換する。この変換作業は，例えば，各評価項目について共通するタグをつけて記憶しておくことなどにより容易に達成できる。具体的には，クライアントが後述する図５のような表示を行えるように，記憶された情報を読み出して，ＨＴＭＬ変換処理などを行い，変換した情報を一時的に記憶装置に記憶する。
【００１７】
そして，ＣＰＵは，制御プログラムの指令を受け，インターフェイスから，情報変換手段（１０）が変換した情報が，前記クライアントに送信されるように制御する。具体的には，クライアントに表示可能となった情報を，インターフェイスなどからクライアントのＩＤなどとともに出力する。この情報を受け取ったクライアントは，モニタなどの出力装置により，生命保険の商品に関する情報を効果的に表示できる。図５は，クライアントに表示される生命保険情報の例を示す概念図である。図５に示されるように，本サーバを用いれば，ユーザによって選択された生命保険商品に関する情報のみを抽出して，比較しやすいように表示できることとなる。
【産業上の利用可能性】
【００１８】
本発明は，インターネットを用いた情報提供産業などにおいて好ましく用いられる。  
【図面の簡単な説明】
【００１９】
【図１】図１は，本発明のクライアント−サーバシステムの概念図である。
【図２】図２は，本発明のサーバの基本構成を示す概念図である。
【図３】図３は，データベースなどの第１の記憶手段が記憶する保険商品名と評価項目の例を示す概念図である。
【図４】図４は，クライアントに表示される保険商品の商品名を選択させる画面の例を示す概念図である。
【図５】図５は，クライアントに表示される生命保険情報の例を示す概念図である。
【符号の説明】
【００２０】
３サーバ；４第１の記憶手段；５商品名表示手段；６商品名受信手段；７商品名記憶手段；８データ読み出し手段；９第２の記憶手段；１０情報変換手段；１１生命保険情報送信手段
【図１】
2007299257.tif 000003
【図２】
2007299257.tif 000004
【図３】
2007299257.tif 000005
【図４】
2007299257.tif 000006
【図５】
2007299257.tif 000007